(57)【特許請求の範囲】
【請求項１】
筐体に、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む複数の誘引空気吸込口と、複数の前記誘引空気吸込口に吸込まれた空気を混合する誘引空気混合部と、誘引された空気を吹出す誘引空気吹出口と、前記誘引空気吸込口と前記誘引空気混合部と前記誘引空気吹出口を連通する第二風路を備えたことを特徴とする送風装置。
【請求項２】
複数の誘引空気吸込口が吹出口の軸中心から略放射状に備えられたことを特徴とする請求項１に記載の送風装置。
【請求項３】
吸込口と吹出口が対向する位置に略同軸上に備えられたことを特徴とする請求項１または２に記載の送風装置。
【請求項４】
筐体が外壁と内壁の二重壁を備え、第二風路は第一風路を貫通壁で貫通するように備えられ、前記第一風路は前記外壁と前記内壁と前記貫通壁で構成され、前記第二風路は前記内壁と前記貫通壁で構成され、前記誘引空気吹出口は前記内壁で構成されていることを特徴とする請求項１乃至３いずれかに記載の送風装置。
【請求項５】
複数の誘引空気吸込口を構成する貫通壁の開口方向が、吹出口の軸中心を向かず、同一方向に傾斜していることを特徴とする請求項４記載の送風装置。
【請求項６】
複数の誘引空気吸込口の大きさが異なることを特徴とする請求項１乃至５いずれかに記載の送風装置。
【請求項７】
誘引空気混合部に放電手段を設けたことを特徴とする請求項１乃至６いずれかに記載の送風装置。
【請求項８】
筐体の形状が球形状であることを特徴とする請求項１乃至７いずれかに記載の送風装置。
【発明の詳細な説明】
【技術分野】
【０００１】
本発明は、居室内の天井や壁、床面に設置され、直接気流による体感温度の減少や室内の空気の循環に使用される扇風機や天井扇などの送風装置に関するものである。
【背景技術】
【０００２】
従来、この種の送風装置は、羽根車とモータを台座となる基部に内包して、基部上部に備えられた円環形状の送風部から床面と水平方向に吹出すようにて空気の循環及び空気の流れを生じさせる家庭用送風装置が知られている（例えば、特許文献１参照）。
【０００３】
以下、その送風装置について図７および図８を参照しながら説明する。
【０００４】
図７は、送風機組立体１００をその正面から見た投影図を、図８は、送風機組立体１００の断面投影図を示している。送風機組立体１００は、中央開口部１０２を画定している環状ノズル１０１を有している。環状ノズル１０１を通る空気流を生じさせるモータ１２２がモータハウジング１２６と共に基部１１６の内部に配置されている。さらに、インペラ（羽根車）１３０が、モータ１２２から外方に延びる回転シャフトに連結され、ディフューザ１３２が、インペラ１３０の下流側に位置決めされているモータ１２２は、電気接続部及び電源に接続され、複数個の選択ボタン１２０により、ユーザは、送風機組立体１００を操作することができる。
【０００５】
上記構成で、上述した送風機組立体１００は、以下のように動作する。
【０００６】
ユーザが複数個の選択ボタン１２０の中から適当に選択してモータ１２２が駆動される。かくして、モータ１２２が起動され、空気が空気入口１２４を介して送風機組立体１００内に吸い込まれる。空気は、外側ケーシング１１８を通り、インペラ１３０の入口１３４まで流れる。ディフューザ１３２の出口１３６及びインペラ１３０の排気部を出た空気流は、内部通路１１０を通って互いに逆の方向に進む２つの空気流に分けられる。
【０００７】
空気流は、これが口１１２に入る際に絞られ、そして口１１２の出口１４４のところで更に絞られる。この絞りにより、システム中に圧力が生じる。
【０００８】
このように作られた空気流は、絞りにより生じる圧力に打ち勝ち、空気流は、一次空気流として出口１４４を通って出る。一次空気流は、ガイド部分１４８の配置により、ユーザに向かって集中し又は集束して向けられる。二次空気流は、外部環境、特に出口１４４周りの領域及び環状ノズル１０１の外縁部周りからの空気の同伴によって生じる。この二次空気流は、中央開口部１０２を通り、ここで、一次空気流と混ざり合って送風機組立体１００から前方に放出される全空気流が生じる。
【先行技術文献】
【特許文献】
【０００９】
【特許文献１】特開２０１０−０７７９６９号公報
【発明の概要】
【発明が解決しようとする課題】
【００１０】
このような従来の送風装置では、中央開口部の前後は、二次空気流を通過させるために開放されている必要があるため、一次空気流を発生させるための羽根車とモータを内包した基部を送風部の外に設ける必要があり、本体をコンパクト化できないという課題があった。
【００１１】
そこで本発明は、上記従来の課題を解決するものであり、羽根車を内包することで接触による不安感をなくしつつ、本体のコンパクト化を実現できる送風装置を提供することを目的とする。
【課題を解決するための手段】
【００１２】
そして、この目的を達成するために、本発明は、筐体に、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む複数の誘引空気吸込口と、複数の前記誘引空気吸込口に吸込まれた空気を混合する誘引空気混合部と、誘引された空気を吹出す誘引空気吹出口と、前記誘引空気吸込口と前記誘引空気混合部と前記誘引空気吹出口を連通する第二風路を備えたことを特徴とする送風装置としたものであり、これにより所期の目的を達成するものである。
【発明の効果】
【００１３】
本発明によれば、筐体に、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む複数の誘引空気吸込口と、複数の前記誘引空気吸込口に吸込まれた空気を混合する誘引空気混合部と、誘引された空気を吹出す誘引空気吹出口と、前記誘引空気吸込口と前記誘引空気混合部と前記誘引空気吹出口を連通する第二風路を備えたことを特徴としたことにより、羽根車を内包することで接触による不安感をなくしつつ、コンパクトな構成とすることができる。
【００１４】
さらに、複数の誘引空気吸込口から誘引された空気は、誘引空気混合部で混合され、誘引空気吹出口の方向に流れを変更された状態で誘引空気吹出口からまとまった状態で吹出されるため、吹出された空気は中心部にコア領域が形成されるため直進性に優れ、遠方まで風速の減衰が少なく到達する気流を効率よく生み出すことができる。
【図面の簡単な説明】
【００１５】
【図１】本発明の実施の形態１の送風装置の斜視図
【図２】本発明の実施の形態１の送風装置の断面を示す構成図
【図３】本発明の実施の形態１の送風装置の正面図
【図４】本発明の実施の形態２の送風装置の斜視図
【図５】本発明の実施の形態３の送風装置の斜視図
【図６】本発明の実施の形態３の送風装置の断面を示す構成図
【図７】従来技術の一例を示す正面図
【図８】従来技術の一例を示す断面図
【発明を実施するための形態】
【００１６】
本発明の請求項１記載の送風装置は、筐体に、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む複数の誘引空気吸込口と、複数の前記誘引空気吸込口に吸込まれた空気を混合する誘引空気混合部と、誘引された空気を吹出す誘引空気吹出口と、前記誘引空気吸込口と前記誘引空気混合部と前記誘引空気吹出口を連通する第二風路を備えたことを特徴とするものである。
【００１７】
これにより、羽根車を内包することで接触による不安感をなくしつつ、コンパクトな構成で、複数の誘引空気吸込口から誘引された空気は、誘引空気混合部で混合され、誘引空気吹出口の方向に流れを変更された状態で誘引空気吹出口からまとまった状態で吹出されるため、吹出された空気は中心部にコア領域が形成されるため直進性に優れ、遠方まで風速の減衰が少なく到達する気流を効率よく生み出すことができる。また、誘引空気吸込口が複数あるため、一つの誘引空気吸込口が塞がれるような使用状態でも、他の誘引空気吸込口から空気を誘引できるため性能を発揮することができる。ここで、高圧空気とは大気圧以上の空気を示すものとする。
【００１８】
また、複数の誘引空気吸込口が軸中心から略放射状に備えられたことを特徴とするもので、複数の誘引空気吸込口から誘引された空気は、複数の誘引空気吸込口が軸中心から略放射状に備えられているため、誘引空気混合部の中心部で効率よく混合され、誘引空気吹出口の方向に流れを変更された状態で誘引空気吹出口からまとまって吹出されるため、吹出された空気は中心部にコア領域が形成されるため直進性に優れ、遠方まで風速の減衰が少なく到達する気流を効率よく生み出すことができる。
【００１９】
また、吸込口と吹出口が対向する位置に略同軸上に備えられたことを特徴とするもので、吸込口と吹出口の距離が離れるため、吹出した空気が吸込口に再び吸込まれることを防ぐことができ、効率よく遠方に気流を送ることができる。
【００２０】
また、筐体が外壁と内壁の二重壁を備え、第二風路は第一風路を貫通壁で貫通するように備えられ、前記第一風路は前記外壁と前記内壁と前記貫通壁で構成され、前記第二風路は前記内壁と前記貫通壁で構成され、前記誘引空気吹出口は前記内壁で構成されていることを特徴とするもので、複数の誘引空気吸込口から誘引された空気は、誘引空気混合部で混合され、誘引空気吹出口の方向に流れを変更された状態で誘引空気吹出口からまとまった状態で吹出されるため、吹出された空気は中心部にコア領域が形成されるため直進性に優れ、遠方まで風速の減衰が少なく到達する気流を効率よく生み出すことができる。
【００２１】
また、複数の誘引空気吸込口を構成する貫通壁の開口方向が、吹出口の軸中心を向かず、同一方向に傾斜していることを特徴とするものであり、複数の誘引空気吸込口から誘引される空気は誘引空気混合部で旋回しながら混合されるため、誘引空気吹出口から吹出す気流を旋回流とすることができ、遠方まで風速の減衰が少なく到達する気流を効率よく生み出すことができる。
【００２２】
また、複数の誘引空気吸込口の大きさが異なることを特徴とするもので、複数の誘引空気吸込口から誘引される空気量が異なるため、誘引空気混合部で空気が混合される際に空気の乱れを大きくすることができ、誘引空気吹出口から吹出す気流にランダムな揺らぎを与えることができる。これにより、誘引空気吹出口から吹出される気流は機械的なリズムではなく、より自然の風に近い揺らぎのある気流となり、気流にあたったときの快適性を高めることができる。
【００２３】
また、一部の誘引空気吸込口を塞ぐことで、塞がれた側の誘引空気吹出口からの風量が少なくなり、塞がれていない側に片寄った気流が誘引空気吹出口から吹出される。このため、塞ぐ誘引空気吸込口を変えることで、それぞれ異なった揺らぎ、風向の風を生み出すことができる。
【００２４】
また、誘引空気混合部に放電手段を設けたことを特徴とするもので、放電手段の放電により発生する、脱臭や除菌などに効果のある各種イオンやオゾンを誘引空気に乗せ長距離まで搬送することができるため、効率よく広い空間の脱臭、除菌ができる。
【００２５】
また、筐体の形状が球形状であることを特徴とするもので、吹出口が塞がらない角度であれば、任意の角度で使用する事ができるため、目的の対象がどこにあっても気流を効率よく当てることができる。また、吸込口も球面形状のため、吸込口が地面に接触するように置いても吸込口が完全に塞がれることがなく、性能を発揮することができる。
【００２６】
以下、本発明の実施の形態について図面を参照しながら説明する。
【００２７】
（実施の形態１）
図１に斜視図を、図２に断面Ａでの断面を示す構成図を示すように、送風装置１１は、球形状の筐体１２が外壁１３と内壁１４の二重壁を備え、空気を取り入れる吸込口１５と、高圧空気を発生するための羽根車１６と羽根車１６を駆動するためのモータ１７で構成された高圧空気発生手段１８と、高圧空気を吹出すための環形状の吹出口１９と、高圧空気を羽根車１６から吹出口１９に導く第一風路２０と、吹出口１９から吹出す空気に誘引されて空気を吸込む複数（本実施形態では６個）の誘引空気吸込口２１と、複数の誘引空気吸込口２１に吸込まれた空気を混合する誘引空気混合部２２と、誘引された空気を吹出す誘引空気吹出口２３と、誘引空気吸込口２１と誘引空気混合部２２と誘引空気吹出口２３を連通する第二風路２４で構成されるものである。
【００２８】
また、第二風路２４は第一風路２０を貫通壁２５で貫通するように備えられ、第一風路２０は外壁１３と内壁１４と貫通壁２５で構成され、第二風路２４は内壁１４と貫通壁２５で構成され、誘引空気吹出口２３は吹出口１９の内環を構成する内壁１４に囲まれて構成されるものである。
【００２９】
ここで、複数の誘引空気吸込口２１は吹出口１９の軸中心から放射状に備えられており、吸込口１５と吹出口１９が対向する位置に筐体１２の球形状の中心を通る同軸上に備えられた構成となっている。また、本実施形態では筐体１２を球形状で表したが、筐体１２の形状としては特にこれに限定されるものではなく、多面体形状（正多面体や切頂多面体）、円柱形状、多角柱形状、有機的なフォルム形状など自由に選択することができる。また、環形状とは円に限定されるものではなく、環になっていれば多角形や曲線で構成された形状であってもよい。また環形状は性能に影響が出ない範囲であればリブなどにより部分的に途切れることがあっても問題はない。
【００３０】
このような構成によれば、羽根車１６が送風装置１１の外部から接触できないよう筐体１２内に内包されているため羽根車１６に接触して怪我をするという不安を抱くことなく安心して使用できるものである。
【００３１】
また、複数の誘引空気吸込口２１から誘引された空気は、誘引空気混合部２２で混合され、誘引空気吹出口２３の方向に流れを変更された状態で誘引空気吹出口２３からまとまった状態で吹出されるため、吹出された空気は中心部にコア領域が形成されるため直進性に優れ、遠方まで風速の減衰が少なく到達する気流を効率よく生み出すことができ、コンパクトな構成でありながら近距離から遠方まで広い範囲で効率よく涼感を得ることができる。ここで、高圧空気とは大気圧以上の空気を示すものとする。
【００３２】
また、吸込口１５と吹出口１９が対向する位置に同軸上に備えられたことで、吸込口１５と吹出口１９の距離が離れるため、吹出した空気が吸込口１５に再び吸込まれることを防ぐことができ、効率よく遠方に気流を送ることができる。
【００３３】
また、誘引空気吸込口２１の位置としては吹出口１９より羽根車１６に近い位置に配した方が誘引空気混合部２２を大きくでき、誘引された空気を効率よくまとめることができるため好ましく、数や大きさは複数の誘引空気吸込口２１全体での断面積の合計が誘引空気吹出口２３の断面積と同等か、誘引空気吹出口２３の断面積より大きくなるように備える方が効率よく空気を誘引できるため好ましい。
【００３４】
また、送風装置１１には放電手段としての放電電極ユニット２６が備えられており、これにより放電により発生する、脱臭や除菌などに効果のある各種イオンやオゾンを誘引空気に乗せ長距離まで搬送することができるため、効率よく広い空間の脱臭、除菌ができるものである。
【００３５】
ここで放電電極ユニット２６としては、一対の金属電極を任意の距離を置いて配置し、高電圧を印加するようなオゾン発生電極ユニットやイオン発生電極ユニットなど既知の放電電極ユニット２６を用いることができる。
【００３６】
また、図３に示すように、送風装置１１の筐体１２は球形状のため、地面２７に図３に示すように吸込口１５が地面に接触するように置いても吸込口１５が完全に塞がれることがなく、性能を発揮することができる。また、誘引空気吸込口２１が複数あるため、誘引空気吸込口２１が地面に接触するように置いても他の誘引空気吸込口２１から空気を誘引できるため性能を発揮することができる。ここで、吸込口１５の形状としては、多孔形状など吸込口１５が塞がれる面積を最小にできる形状が望ましい。
【００３７】
（実施の形態２）
図４に送風装置３１の斜視図を示す。なお、実施の形態１と同様の構成要素については同一の符号を付し、その詳細な説明は省略する。送風装置３１はそれぞれの誘引空気吸込口３２ａ、３２ｂ、３２ｃの大きさが異なる構成となっている。また図４では図示しないが、本体の反対側の面にも大きさの異なる誘引空気吸込口３２ｄ、３２ｅ、３２ｆが備えられている。
【００３８】
このような構成によれば、複数の誘引空気吸込口３２ａ、３２ｂ、３２ｃ、３２ｄ、３２ｅ、３２ｆから誘引される空気量が異なるため、誘引空気混合部２２で空気が混合される際に空気の乱れ大きくすることができ、誘引空気吹出口２３から吹出す気流にランダムな揺らぎを与えることができる。これにより、誘引空気吹出口２３から吹出される気流は機械的なリズムではなく、より自然の風に近い揺らぎのある気流となり、気流にあたったときの快適性を高めることができる。また、一部の誘引空気吸込口を塞ぐことで、塞がれた側の誘引空気吹出口からの風量が少なくなり、塞がれていない側に片寄った気流が誘引空気吹出口から吹出される。このため、塞ぐ誘引空気吸込口を変えることで、それぞれ異なった揺らぎ、風向の風を生み出すことができる。
【００３９】
なお、ここでは複数の誘引空気吸込口の大きさがすべて異なる例を挙げたが、特にこれに限定されるものではなく、例えば２種類の大きさの誘引空気吸込口を大きい誘引空気吸込口を３２ａ、３２ｂ、３２ｃの位置に、小さい誘引空気吸込口３２ｄ、３２ｅ、３２ｆの位置に配置すれば大きい誘引空気吸込口の側に片寄った風を発生させるなど誘引空気吸込口の大きさと配置により任意の風向、揺らぎの風を作り出すことができる。
【００４０】
（実施の形態３）
図５に送風装置４１の斜視図を、図６に断面Ｂでの断面を示す構成図を示す。なお、実施の形態１と同様の構成要素については同一の符号を付し、その詳細な説明は省略する。送風装置４１は、複数の誘引空気吸込口４２を構成する貫通壁２５の開口方向が、吹出口１９の軸中心を向かず、同一方向に傾斜して備えられた構成となっている。なお、図５、図６の矢印は、空気の流れを示している。
【００４１】
このような構成によれば、複数の誘引空気吸込口４２から誘引される空気は誘引空気混合部２２で旋回しながら混合されるため、誘引空気吹出口２３から吹出す気流を旋回流とすることができ、遠方まで風速の減衰が少なく到達する気流を効率よく生み出すことができる。
【産業上の利用可能性】
【００４２】
本発明にかかる送風装置は、羽根車を内包することで接触による不安感をなくしつつ、本体のコンパクト化を実現できる送風装置を提供できるため、居室内の床、机上、天井や壁に設置され、直接気流による体感温度の減少や室内の空気の循環に使用される各種送風機器等として有用である。
【符号の説明】
【００４３】
１１  送風装置
１２  筐体
１３  外壁
１４  内壁
１５  吸込口
１６  羽根車
１７  モータ
１８  高圧空気発生手段
１９  吹出口
２０  第一風路
２１  誘引空気吸込口
２２  誘引空気混合部
２３  誘引空気吹出口
２４  第二風路
２５  貫通壁
２６  放電電極ユニット
２７  地面
３１  送風装置
３２ａ  誘引空気吸込口
３２ｂ  誘引空気吸込口
３２ｃ  誘引空気吸込口
３２ｄ  誘引空気吸込口
３２ｅ  誘引空気吸込口
３２ｆ  誘引空気吸込口
４１    送風装置
４２    誘引空気吸込口
１００  送風機組立体
１０１  環状ノズル
１０２  中央開口部
１１０  内部通路
１１２  口
１１６  基部
１１８  外側ケーシング
１２０  選択ボタン
１２２  モータ
１２４  空気入口
１２６  モータハウジング
１３０  インペラ
１３２  ディフューザ
１３４  入口
１３６  出口
１４４  出口
１４８  ガイド部分
【図１】
0005660084.tif 000002
【図２】
0005660084.tif 000003
【図３】
0005660084.tif 000004
【図４】
0005660084.tif 000005
【図５】
0005660084.tif 000006
【図６】
0005660084.tif 000007
【図７】
0005660084.tif 000008
【図８】
0005660084.tif 000009